【手続補正書】
【提出日】平成18年3月6日(2006.3.6)
【手続補正１】
【補正対象書類名】明細書
【補正対象項目名】発明の名称
【補正方法】変更
【補正の内容】
【発明の名称】管理装置およびデータ処理装置
【手続補正２】
【補正対象書類名】明細書
【補正対象項目名】特許請求の範囲
【補正方法】変更
【補正の内容】
【特許請求の範囲】
【請求項１】
データ処理装置でのコンテンツデータの再生履歴としての利用履歴データを複数のデータ処理装置から受信する受信手段と、
上記受信手段により受信した前記利用履歴データに基づいて、前記データ処理装置での前記コンテンツデータの再生により得られた利益を少なくとも前記コンテンツデータの権利者へ分配する金額を決定する決定手段と、を有することを特徴とする
管理装置。
【請求項２】
前記決定手段はさらに予め保持している分配率表に基づいて分配金額を決定することを特徴とする請求項１記載の管理装置。
【請求項３】
前記決定手段による決定に応じて決済機関に分配金額の支払いを請求できる決済請求権データを作成する作成手段を更に備えることを特徴とする
請求項１記載の管理装置。
【請求項４】
前記利用履歴データは、前記データ処理装置に対し前記利用履歴データの送信要求を行うことによって受信されることを特徴とする請求項１記載の管理装置。
【請求項５】
署名データの検証を行う検証手段を更に有し、
前記受信手段は、前記利用履歴データとともに前記利用履歴データの署名データを受信し、
前記検証手段は、前記利用履歴データの署名データの検証を行うことを特徴とする
請求項１記載の管理装置。
【請求項６】
記憶媒体に記録されたコンテンツデータを再生する再生手段と、
前記再生手段によるコンテンツデータの再生の履歴を利用履歴データとして前記記憶媒体に記録する記録手段と、
前記記憶媒体に記憶される前記利用履歴データを管理装置へ送信する送信手段と、
を有することを特徴とする
データ処理装置。
【請求項７】
前記記憶手段に記憶した前記利用履歴データを読み出し、秘密鍵で前記利用履歴データの署名データを作成する署名処理手段を更に有し、
前記送信手段は、前記利用履歴データとともに前記署名データを送信することを特徴とする請求項６記載のデータ処理装置。
【請求項８】
前記送信手段は、前記利用履歴データを定期的に送信することを特徴とする請求項６記載のデータ処理装置。
【請求項９】
前記送信手段は、前記記憶手段に記憶された前記利用履歴データの情報量が所定以上になったとき、前記利用履歴データを送信することを特徴とする請求項６記載のデータ処理装置。
【請求項１０】
前記送信手段は、前記管理装置からの送信要求に応じて前記利用履歴データを送信することを特徴とする請求項６記載のデータ処理装置。
【請求項１１】
前記コンテンツデータが前記再生手段により再生されると前記記憶手段に記憶されている前記利用履歴データを更新する更新手段を更に備えることを特徴とする請求項６記載のデータ処理装置。
【手続補正３】
【補正対象書類名】明細書
【補正対象項目名】０００１
【補正方法】変更
【補正の内容】
【０００１】
【発明の属する技術分野】
本発明は、コンテンツデータを提供する管理装置およびデータ処理装置とに関する。
【手続補正４】
【補正対象書類名】明細書
【補正対象項目名】００１２
【補正方法】変更
【補正の内容】
【００１２】
【課題を解決するための手段】
上述した従来技術の問題点を解決し、上述した目的を達成するために、本発明の管理装置はデータ処理装置でのコンテンツデータの再生履歴としての利用履歴データを複数のデータ処理装置から受信する受信手段と、
上記受信手段により受信した前記利用履歴データに基づいて、前記データ処理装置での前記コンテンツデータの再生により得られた利益を少なくとも前記コンテンツデータの権利者へ分配する金額を決定する決定手段と、を有することを特徴とする。
【手続補正５】
【補正対象書類名】明細書
【補正対象項目名】００１３
【補正方法】変更
【補正の内容】
【００１３】
本発明の前記決定手段はさらに予め保持している分配率表に基づいて分配金額を決定することを特徴とする。
【手続補正６】
【補正対象書類名】明細書
【補正対象項目名】００１４
【補正方法】変更
【補正の内容】
【００１４】
また、本発明の管理装置は、前記決定手段による決定に応じて決済機関に分配金額の支払いを請求できる決済請求権データを作成する作成手段を更に備えることを特徴とする。
【手続補正７】
【補正対象書類名】明細書
【補正対象項目名】００１５
【補正方法】変更
【補正の内容】
【００１５】
本発明の管理装置では、前記利用履歴データは、前記データ処理装置に対し前記利用履歴データの送信要求を行うことによって受信されることを特徴とする。
【手続補正８】
【補正対象書類名】明細書
【補正対象項目名】００１６
【補正方法】変更
【補正の内容】
【００１６】
また、本発明の管理装置は、署名データの検証を行う検証手段を更に有し、前記受信手段は、前記利用履歴データとともに前記利用履歴データの署名データを受信し、前記検証手段は、前記利用履歴データの署名データの検証を行うことを特徴とする。
【手続補正９】
【補正対象書類名】明細書
【補正対象項目名】００１７
【補正方法】変更
【補正の内容】
【００１７】
本発明のデータ処理装置は、記憶媒体に記録されたコンテンツデータを再生する再生手段と、前記再生手段によるコンテンツデータの再生の履歴を利用履歴データとして前記記憶媒体に記録する記録手段と、前記記憶媒体に記憶される前記利用履歴データを管理装置へ送信する送信手段とを有することを特徴とする。
【手続補正１０】
【補正対象書類名】明細書
【補正対象項目名】００１８
【補正方法】変更
【補正の内容】
【００１８】
本発明のデータ処理装置は、前記記憶手段に記憶した前記利用履歴データを読み出し、秘密鍵で前記利用履歴データの署名データを作成する署名処理手段を更に有し、
前記送信手段は、前記利用履歴データとともに前記署名データを送信することを特徴とする。
【手続補正１１】
【補正対象書類名】明細書
【補正対象項目名】００１９
【補正方法】変更
【補正の内容】
【００１９】
本発明のデータ処理装置では、前記送信手段は、前記利用履歴データを定期的に送信することを特徴とする。
【手続補正１２】
【補正対象書類名】明細書
【補正対象項目名】００２０
【補正方法】変更
【補正の内容】
【００２０】
本発明のデータ処理装置では、前記送信手段は、前記記憶手段に記憶された前記利用履歴データの情報量が所定以上になったとき、前記利用履歴データを送信することを特徴とする。
【手続補正１３】
【補正対象書類名】明細書
【補正対象項目名】００２１
【補正方法】変更
【補正の内容】
【００２１】
本発明のデータ処理装置では、前記送信手段は、前記管理装置からの送信要求に応じて前記利用履歴データを送信することを特徴とする。
【手続補正１４】
【補正対象書類名】明細書
【補正対象項目名】００２２
【補正方法】変更
【補正の内容】
【００２２】
本発明のデータ処理装置では、前記コンテンツデータが前記再生手段により再生されると前記記憶手段に記憶されている前記利用履歴データを更新する更新手段を更に備えることを特徴とする。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】０３６４
【補正方法】変更
【補正の内容】
【０３６４】
【発明の効果】
以上説明したように、本発明の管理装置並びにデータ処理装置によれば、データ処理装置においてデータ提供装置が提供した権利書データに基づいてコンテンツデータの利用が行われるため、データ提供装置の関係者の利益が適切に保護される。
また、本発明の管理装置によれば、管理装置において権利書データなどの証明を行うため、例えば、権利書データなどが不正に改竄された場合などに適切に対処できる。
また、本発明の管理装置によれば、データ提供装置の関係者の利益を保護するための監査の負担を軽減できる。